(57)【特許請求の範囲】
【請求項１】
植物および培土の双方または一方を保持する保持部を少なくとも１つ具備するシートと、前記シートが取り付けられた固定可能なシート張体と、を備え、前記シートの少なくとも３箇所が引っ張られることにより面が形成される、ことを特徴とする植物ユニット。
【請求項２】
前記シート張体は、鋼材、アルミ材、ステンレス材、および樹脂材の少なくとも１つを含む枠状体、または前記シートの周縁に取り付けられたワイヤーロープである、ことを特徴とする請求項１に記載の植物ユニット。
【請求項３】
前記保持部は、前記シートの両面または片面に設けられたポケットである、ことを特徴とする請求項１または請求項２に記載の植物ユニット。
【請求項４】
請求項３に記載の植物ユニットにおいて、さらに、前記ポケットを開閉するポケット開閉体を備える、ことを特徴とする植物ユニット。
【請求項５】
前記保持部は、前記シートの両面または片面に設けられた巾着状の袋体である、ことを特徴とする請求項１または請求項２に記載の植物ユニット。
【請求項６】
前記ポケットまたは前記袋体は、他のポケットまたは袋体から排水される水が給水される位置に設けられている、ことを特徴とする請求項３〜請求項５のいずれか１項に記載の植物ユニット。
【請求項７】
請求項３〜請求項６のいずれか１項に記載の植物ユニットにおいて、さらに、前記シートは、前記ポケットまたは前記袋体の略上部に開口を具備する、ことを特徴とする植物ユニット。
【請求項８】
請求項７に記載の植物ユニットにおいて、さらに、前記シートは、前記開口の下縁に略縦状の切り込みを具備する、ことを特徴とする植物ユニット。
【請求項９】
請求項７または請求項８に記載の植物ユニットにおいて、さらに、前記開口を開閉する開口開閉体を備える、ことを特徴とする植物ユニット。
【請求項１０】
請求項７〜請求項９のいずれか１項に記載の植物ユニットへの植栽方法であって、
前記シートの一方の面から、前記開口を介して、前記シートの他方の面へ、植物の全部または一部を通す工程と、
前記シートの他方の面に通された植物の全部または一部を前記シートの他方の面に設けられている前記ポケットまたは前記袋体へ納める工程と、
を有することを特徴とする植物ユニットへの植物収納方法。
【請求項１１】
前記シートには、スリットが設けられており、
前記保持部は、前記スリットに通される帯状体である、
ことを特徴とする請求項１に記載の植物ユニット。
【請求項１２】
前記シートは、２枚以上のシート部材の組み合わせであり、
前記保持部は、前記組み合わされたシート部材の隙間である、
ことを特徴とする請求項１に記載の植物ユニット。
【請求項１３】
前記シートは、風を通す風透過部材である、ことを特徴とする請求項１〜請求項１２のいずれか１項に記載の植物ユニット。
【請求項１４】
前記保持部、前記シート、または前記枠状体に、情報を発信する情報発信体およびスクリーンの双方または一方を取り付けたことを特徴とする請求項１〜請求項１３のいずれか１項に記載の植物ユニット。
【発明の詳細な説明】
【技術分野】
【０００１】
本発明は、植物ユニットに関し、特に、緑化のみならず、景観の演出をも行う、シートを用いた植物ユニットに関する。なお、本発明における「植物」には、生物として植物のみならず、造花や造草などの人工的な植物としての人工植物も含まれる。また、本発明における「培土」には、培土自体のみならず、培土に似せて作られた人工的な粉状体や、スポンジや、発砲スチロールなどの植物周辺材も含まれる。
【背景技術】
【０００２】
従来、シートを用いて建物や道路などを遮音し緑化する、次のような発明が提案された。すなわち、植物の根の貫通を許すポケットをシートに設け、このポケット内で植物を生育させることにより、建物や道路などを緑化し遮音する緑化用シートである（特許文献１参照）。
【特許文献１】特開２００４−１６０６２号公報
【発明の開示】
【発明が解決しようとする課題】
【０００３】
しかしながら、入学式が行われる小学校の校舎や校庭などを春の植物で飾ったり、夏に開催される博覧会の会場を夏の植物で飾ったり、秋のビジネス街を秋の植物で飾ったり、冬のテーマパークを冬の植物で飾ったりする場合などのように、季節やイベントの趣旨などに応じて景観を演出する場合には、緑化や遮音を行う場合とは異なり、植物の短期的な利用が要求される。したがって、根がシートを貫通する構造を有する上記従来の緑化シートでは、シートを貫通した植物の根がシートの周辺にある物にからまって、その取り外しが困難となるため、植物の短期的な利用の要求に応えることができないという問題があった。
【０００４】
この点、この問題は、上記従来の緑化シートを根の貫通を許さないものとすることにより、解決できるようにも思える。しかし、上記従来の緑化シートは、緑化や遮音を目的としていることからも明らかなように、シートを貫通した植物の根を支持体に貫通させることによって十分な安定を得る。したがって、上記従来の緑化シートを根の貫通を許さないものとすると、シートが風や雨などによって簡単に吹き飛ばされるという問題が生じてしまう。
【０００５】
よって、上記従来の緑化シートでは、シートを用いた緑化や遮音はできても、シートを用いた景観の演出はできなかった。
【０００６】
そこで、本発明は、緑化を図ることができるとともに、景観を演出することもできる、シートを用いた植物ユニット、および、この植物ユニットへの植物収納方法を提供することを目的とする。
【課題を解決するための手段】
【０００７】
本発明によれば、上記課題は、次の手段によって解決される。
【０００８】
第１の発明は、植物および培土の双方または一方を保持する保持部を少なくとも１つ具備するシートと、前記シートが取り付けられた固定可能なシート張体と、を備え、前記シートの少なくとも３箇所が引っ張られることにより面が形成される、ことを特徴とする植物ユニットである。
【０００９】
第２の発明は、前記シート張体は、鋼材、アルミ材、ステンレス材、および樹脂材の少なくとも１つを含む枠状体、または前記シートの周縁に取り付けられたワイヤーロープである、ことを特徴とする第１の発明に係る植物ユニットである。
【００１０】
第３の発明は、前記保持部は、前記シートの両面または片面に設けられたポケットである、ことを特徴とする第１の発明または第２の発明に係る植物ユニットである。
【００１１】
第４の発明は、第３の発明に係る植物ユニットにおいて、さらに、前記ポケットを開閉するポケット開閉体を備える、ことを特徴とする植物ユニットである。
【００１２】
第５の発明は、前記保持部は、前記シートの両面または片面に設けられた巾着状の袋体である、ことを特徴とする第１の発明または第２の発明に係る植物ユニットである。
【００１３】
第６の発明は、前記ポケットまたは前記袋体は、他のポケットまたは袋体から排水される水が給水される位置に設けられている、ことを特徴とする第３の発明〜第５の発明のいずれか１つに係る植物ユニットである。
【００１４】
第７の発明は、第３の発明〜第６の発明のいずれか１つに係る植物ユニットにおいて、さらに、前記シートは、前記ポケットまたは前記袋体の略上部に開口を具備する、ことを特徴とする植物ユニットである。
【００１５】
第８の発明は、第７の発明に係る植物ユニットにおいて、さらに、前記シートは、前記開口の下縁に略縦状の切り込みを具備する、ことを特徴とする植物ユニットである。
【００１６】
第９の発明は、第７の発明または第８の発明に係る植物ユニットにおいて、さらに、前記開口を開閉する開口開閉体を備える、ことを特徴とする植物ユニットである。
【００１７】
第１０の発明は、第７の発明〜第９の発明のいずれか１つに係る植物ユニットへの植栽方法であって、前記シートの一方の面から、前記開口を介して、前記シートの他方の面へ、植物の全部または一部を通す工程と、前記シートの他方の面に通された植物の全部または一部を前記シートの他方の面に設けられている前記ポケットまたは前記袋体へ収納する工程と、を有することを特徴とする植物ユニットへの植物収納方法である。
【００１８】
第１１の発明は、前記シートには、スリットが設けられており、前記保持部は、前記スリットに通される帯状体である、ことを特徴とする第１の発明に係る植物ユニットである。
【００１９】
第１２の発明は、前記シートは、２枚以上のシート部材の組み合わせであり、  前記保持部は、前記組み合わされたシート部材の隙間である、ことを特徴とする第１の発明に係る植物ユニットである。
【００２０】
第１３の発明は、前記シートは、風を通す風透過部材である、ことを特徴とする第１の発明〜第１２の発明のいずれか１つに係る植物ユニットである。
【００２１】
第１４の発明は、前記保持部、前記シート、または前記枠状体に、情報を発信する情報発信体およびスクリーンの双方または一方を取り付けたことを特徴とする第１の発明〜第１３の発明のいずれか１つに係る植物ユニットである。
【発明の効果】
【００２２】
本発明によれば、緑化を図ることができるとともに、景観を演出することもできる、シートを用いた植物ユニット、および、この植物ユニットへの植物収納方法を提供することができる。
【発明を実施するための最良の形態】
【００２３】
以下に、添付した図面を参照しつつ、本発明を実施するための最良の実施の形態を詳細に説明する。
【００２４】
図１は、本発明の実施の形態に係る植物ユニットを設置した様子を示す図である。
図１に示すように、本発明の実施の形態においては、単管で構成された足場５００（単管足場）に本発明の実施例に係る６つの植物ユニット（１００、２００、３００、４００）が取り付けられている。なお、植物ユニット（１００、２００、３００、４００）を単管足場５００に取り付けたのは、説明の便宜のためであって、植物ユニット（１００、２００、３００、４００）の取り付け対象を単管足場５００に限定する趣旨ではない。したがって、本発明に係る植物ユニットは、単管足場５００以外にも、建物や壁や塀や金網や木など、ありとあらゆるものに取り付けることができ、以下の説明における「単管足場」は、植物ユニット（１００、２００、３００、４００）を取り付けることができるすべてのものに読み替えることができる。また、本発明の実施の形態においては、植物ユニット（１００、２００、３００、４００）を２５ｃｍ間隔で単管足場５００に取り付けているが、本発明が植物ユニット（１００、２００、３００、４００）の取り付け間隔を限定するものではないことは、いうまでもない。また、植物ユニット（１００、２００、３００、４００）は、実施例である。したがって、本発明に係る植物ユニットが、植物ユニット（１００、２００、３００、４００）に限定されるものでないことはいうまでもない。
【実施例１】
【００２５】
図２は、実施例１に係る植物ユニットを示す図である。実施例１に係る植物ユニットは、図１の植物ユニット１００であり、（ａ）は正面図、（ｂ）は背面図、（ｃ）は側面図である。
図２に示すように、実施例１に係る植物ユニット１００は、枠状体１０２と、この枠状体１０２にロープ１０３によって張り付けられたシート１０１と、を備えており、前面にあるポケット１０４に培土と植物が保持されている。
【００２６】
枠状体１０２は、枠の形をした枠部材によって構成されている。なお、本発明の実施の形態においては、説明の便宜のため、枠状体１０２に厳密な枠を用いたが、枠状体１０２は、枠のような形をしていれば、厳密な枠の形をしていなくともよい。また、本発明は、枠状体１０２を構成する枠部材の材質を限定するものではないが、この枠部材は、たとえば、鋼材やアルミ材やステンレス材や樹脂材などによって製作することができる。
【００２７】
枠状体１０２には、２本の補強部材１１００が縦に取り付けられている。この補強部材１１００によれば、植物ユニット１００の振動を抑えることができるとともに、シート１０１が風や雨などによって膨らむのを防止することができる。なお、本発明は、この補強部材１１００の材質を限定するものではないが、この補強部材１１００は、たとえば、鋼材やアルミ材やステンレス材や樹脂材などによって製作することができる。
【００２８】
枠状体１０２の四隅には、管状の被固定部１０９が設けられており、この被固定部１０９が単管足場５００に固定される。本発明は、被固定部１０９の単管足場５００への固定方法を限定するものではないが、たとえば、被固定部１０９は、クランプなどによって単管足場５００に固定することができる。なお、上記では、説明の便宜のため、被固定部１０９を管状としたが、本発明は、被固定部１０９を管状に限定するものではない。この被固定部１０９は、単管足場５００に取り付けることができるものであれば、どのような形状をしていてもよい。したがって、たとえば、この被固定部１０９を孔状のものとして、この孔状と単管足場５００とをロープやワイヤーなどの留具で留めてもよい。また、たとえば、この被固定部１０９を係合状にして、単管足場５００に引っ掛けても良い。また、たとえば、この被固定部１０９を角状にして、単管足場５００にはめ込んでもよい。
【００２９】
枠状体１０２の周縁とシート１０１の周縁には、孔が設けられており、シート１０１は、これら枠状体１０２の周縁の孔とシート１０１の周縁の孔とにロープ１０３を通すことによって、枠状体１０２に張り付けられる。なお、シート１０１の張り具合は、ロープ１０３の縛り具合によって調整できる。
【００３０】
図３は、図２に示す実施例１に係る植物ユニット１００の一部を拡大した図であり、（ａ）は正面斜視図、（ｂ）は背面斜視図である。
図３に示すように、シート１０１の正面には、袋体１０４が設けられており、この袋体１０４には、植物および培土が保持されている。この袋体１０４は巾着状になっており、その上縁１０５にはロープ１０６が通されている。シート１０１には、このロープ１０６を通す孔が設けられており、この袋体１０４の上縁１０５に通されたロープ１０６は、このシート１０１の孔を介して、シート１０１の背面に通すことができる。シート１０１の背面に通されたロープ１０６を縛ると、シート１０１の正面にある袋体１０４の口が閉まり、植物の根や茎が袋体１０４の内部で保護される。したがって、この巾着状の袋体１０４を用いれば、植物の根や茎が風により損傷するのを防止することができる。植物の根や茎が損傷すると、植物が根や茎の部分から折れて、下方にいる人や動物の頭上に落下するおそれがあるが、この巾着状の袋体１０４によれば、植物の根や茎の損傷を防止できるため、かかる植物の人や動物への頭上への落下を防止することができ、植物ユニット１００の安全性を高めることができる。また、植物の根や茎の袋体１０４の内部での保護は、植物の根や茎と培土との間に隙間が発生することによる乾燥害の防止にも役立つ。
【００３１】
また、シート１０１には、給水口１０７が設けられている。シート１０１の背面から給水口１０７を介してシート１０１の正面の袋体１０４へ給水パイプを通すと、シート１０１の正面において給水パイプが露出しないようにすることができる。したがって、この給水口１０７によれば、植物ユニット１００による緑化をより進めることができるとともに、植物ユニット１００による景観の演出をより高度のものとすることができる。
【００３２】
また、シート１０１には、袋体１０４が設けられている部分に排水口１０８が設けられている。したがって、袋体１０４における余剰水は、シート１０１の背面から排水されることになる。よって、この排水口１０８によれば、植物ユニット１００による緑化をより進めることができるとともに、植物ユニット１００による景観の演出をより高度のものとすることができる。
【００３３】
なお、実施例１においては、シート１０１に巾着状の袋体１０４を設けたが、シート１０１には、この巾着状の袋体１０４とともに、または、この巾着状の袋体１０４に代えて、ポケットや単なる袋体を設けることもできる。
【００３４】
また、実施例１においては、説明の便宜のため、袋体１０４をシート１０１の正面にのみ設けることとしたが、この袋体１０４は、シート１０１の正面のみに設けることができるのみならず、シート１０１の背面のみに設けることもでき、また、シート１０１の正面と背面の双方に設けることもできる。なお、シート１０１の背面にのみポケットを設ける場合には、シート１０１の正面を緑化や景観以外の用途に使用することができる。
【００３５】
本発明は、実施例１に係る植物ユニット１００に植物を植栽する方法を限定するものではないが、たとえば、袋体１０４に培土と成長した植物を保持させた上で、植物ユニット１００を単管足場５００に取り付けることもできるし、植物ユニット１００を単管足場５００に取り付けた上で、袋体１０４に培土と成長した植物を保持させることもできる。また、たとえば、袋体１０４に培土と植物の種を保持させた上で、植物ユニット１００を単管足場５００に取り付け、植物を生育させることもできるし、植物ユニット１００を単管足場５００に取り付けた上で、袋体１０４に培土と植物の種を保持させ、植物を生育させることもできる。
【００３６】
なお、ポケットや袋体は、たとえば図１９に示すように、他のポケットや袋体から排水される水を給水される位置に設けることができる。この場合には、効率的な排水・給水が可能となる。
【実施例２】
【００３７】
図４は、実施例２に係る植物ユニットを示す図である。実施例２に係る植物ユニットは、図１の植物ユニット２００であり、（ａ）は正面図、（ｂ）は背面図、（ｃ）は側面図である。以下、説明が冗長になるのを避けるため、実施例１に係る植物ユニット１００との相違点についてのみ説明する。
【００３８】
図５は、図４に示す実施例２に係る植物ユニット２００の一部を拡大した図であり、（ａ）は正面斜視図、（ｂ）は背面斜視図である。
図５に示すように、シート２０１の背面には、ポケット２０４が設けられており、シート２０１には、このポケット２０４の略上部に開口２１５が設けられている。ポケット２０４には、培土と植物の根が保持されている。植物の花の部分は、開口２１５を介して、シート２０１の正面に出ている。ここで、シート２０１には、開口２１５の下縁に切り込み２１３を設けることができ、この切り込み２１５に植物の茎の部分を押し込めば、花の部分をシート２０１の正面に出しているにもかかわらず、根の部分をシート２０１の背面のポケット２０４が保持する培土に容易に収めることできる。
【００３９】
実施例２に係る植物ユニット２００は、シート２０１に設けられた開口２１５を開閉する開口開閉体２１１を備えており、この開口開閉体２１１は、マジックテープ（登録商標）２１２によってシートに固定される。この開口開閉体２１１によれば、シート２０１の正面からは、シート２０１の背面が見えなくなるため、植物ユニット２００による緑化をより進めることができるとともに、植物ユニット２００による景観の演出をより高度のものとすることができる。
また、シート２０１の背面のポケット２０４で保持している植物の根や茎が折れてシート２０１の正面に飛散したり、このポケット２０４で保持している培土がシート２０４の正面にこぼれ落ちてくるのを防止することもできる。なお、この開口開閉体２１１は、シート２０１と連続的に構成してもよいし、シート２０１と独立に構成してもよい。
【００４０】
ポケット２０４は、シート２０１の背面において、ロープやワイヤーなどの吊上具２１４によって吊り上げられている。したがって、ポケット２０４に多量の培土を入れた場合やポケット２０４で保持する植物が重い場合であっても、ポケット２０４がバランスを崩すことによる培土や植物の落下を防止することができる。
【００４１】
また、植物ユニット２００は、このポケット２０４を開閉するポケット開閉体２１６を備えており、このポケット開閉体２１６は、マジックテープ（登録商標）（図示せず）によって、ポケット２０４に固定される。このポケット開閉体２１６によれば、ポケット２０４に保持する培土および植物の乾燥や飛散を防止することができる。
【００４２】
なお、実施例２においては、シート２０１の背面にポケット２０４を設けることとしたが、ポケット２０４は、シート２０１の背面のみならず、シート２０１の正面や、シート２０１の正面および背面の双方に設けることもできる。シート２０１の正面と背面の双方にポケット２０４を設ける場合には、シート２０１の両面を緑化することができるとともに、シート２０１の正面の景観とシート２０１の背面の景観の双方を演出することができる。
【００４３】
また、実施例２においては、シート２０１にポケット２０４を設けることとしたが、シート２０１には、ポケット２０４とともに、または、ポケット２０４に代えて、単なる袋体や巾着状の袋体を設けることもできる。この場合にも、単なる袋体や巾着状の袋体で植物の根や茎を保持し、花の部分を開口２１５を介して、シート２０１の正面またはシート２０１の背面に出すことができる。
【００４４】
なお、本発明は、実施例２に係る植物ユニット２００への植栽方法を限定するものではないが、植物ユニット２００への植栽方法としては、たとえば、次のような方法が可能である。すなわち、まず、鉢で植物を十分に発根させる（工程１）。次に、鉢を９０度に傾けた上で、シート２０１の正面から、開口２１５を介して、シート２０１の背面に向けて、通す（工程２）。次に、シート２０１の背面に通された９０度傾いている鉢をポケット２０４に収める（工程３）。このようにすれば、養生・発根に時間がかかる植物についても、養生期間の人件費などのコストを削減することができる。なお、植物ユニット２００の単管足場５００への取り付けは、工程１〜工程３の前におこなってもよいし、後に行っても良い。
【実施例３】
【００４５】
図６は、実施例３に係る植物ユニットを示す図である。実施例３に係る植物ユニットは、図１の植物ユニット３００であり、（ａ）は正面図、（ｂ）は背面図、（ｃ）は側面図である。以下、説明が冗長になるのを避けるため、実施例１および実施例２に係る植物ユニット１００、２００との相違点についてのみ説明する。
【００４６】
図７は、図６に示す実施例３に係る植物ユニット３００の一部を拡大した図であり、（ａ）は正面斜視図、（ｂ）は背面斜視図である。
図７に示すように、シート３０１には、スリット３１７が設けられており、このスリット３１７を縫って帯状体が通されている。この帯状体３０４は、枠状体３０２の両端に設けられたロープやワイヤーなどの留具（図示せず）によって留められている。シート３０１と帯状体３０４との間には、植物の植えられた鉢が挟持されている。
【００４７】
実施例３に係る植物ユニット３００によれば、シート３０１における植物の保持およびシート３０１に保持している植物の交換を極めて容易に行うことができる。
【実施例４】
【００４８】
図８は、実施例４に係る植物ユニットを示す図である。実施例４に係る植物ユニットは、図１の植物ユニット４００であり、（ａ）は正面図、（ｂ）は背面図、（ｃ）は側面図である。以下、説明が冗長になるのを避けるため、実施例１〜実施例３に係る植物ユニット１００、２００、３００との相違点についてのみ説明する。
【００４９】
図９は、図８に示す実施例４に係る植物ユニット４００の一部を拡大した図であり、（ａ）は正面斜視図、（ｂ）は背面斜視図である。
【００５０】
実施例４においては、シート４０１が２枚のシート部材によって構成されている。シート４０１には、開口４１５が設けられており、植物は、この開口４１５の下部に設けられた２枚のシート部材の間４０４に挟持される。
【００５１】
実施例４に係る植物ユニット４００によれば、シート４０１における植物の保持およびシート４０１に保持している植物の交換を極めて容易に行うことができる。
【００５２】
本発明は、実施例１〜実施例４に係る植物パネルにおける植物の種類を限定するものではないが、実施例１に係る植物パネルにおける植物には、たとえばチューリップやラベンダーなどの茎や枝や幹などの短い植物が適している。また、実施例２に係る植物パネルにおける植物には、たとえばバラなどの茎や枝や幹などの長い植物が適している。また、実施例３や実施例４に係る植物パネルは、蘭などの鉢植えにする植物をそのまま保持するのに適している。
【００５３】
なお、以上説明した実施例１〜実施例４に係る植物ユニット（１００、２００、３００、４００）においては、枠状体（１０２、２０２、３０２、４０２）の周縁とシート（１０１、２０１、３０１、４０１）の周縁とに設けられた孔にロープ（１０３、２０３、３０３、４０４）を通すことによって、シート（１０１、２０１、３０１、４０１）を枠状体（１０２、２０２、３０２、４０２）に張り付けたが、シート（１０１、２０１、３０１、４０１）の枠状体（１０２、２０２、３０２、４０２）への張り付けは、次に説明する、別の例１〜３によっても行うことができる。
【００５４】
図１０は、別の例１を示す図である。図１０に示すように、別の例１は、シートの周縁に伸長自在の留具６００の一端を取り付けて、この伸長自在の留具６００の他端を枠状体に固定する方法である。シートの張り具合は、この留具６００を伸長することにより、調整できる。
【００５５】
図１１は、別の例２を示す図である。図１１に示すように、別の例２は、シートの四隅に伸長自在の留具７００の一端を取り付けて、この伸長自在の留具７００の他端を枠状体に固定する方法である。シートの張り具合は、この留具７００を伸長することにより、調整できる。
【００５６】
図１２、図１３は、別の例３を示す図である。図１２、図１３に示すように、別の例３は、シートの四隅にロープ８００などの一端を取り付け、このロープ８００などの他端を伸長自在の押し具９００の一端に取り付け、この押し具９００の他端をシートの一部に取り付ける方法である。シートの張り具合は、この押し具９００を伸長することにより、調整できる。
【００５７】
なお、上記した実施例１〜実施例４においては、枠状体は、平面的なものを用いたが、枠状体は、図１４に示すように、曲面とすることもできる。このように、枠状体をさまざまな形に変化させれば、狭い場所においても、緑化や景観の演出を図ることができるとともに、多様な形での緑化や景観の演出を図ることができる。
【００５８】
また、図１５に示すように、枠状体は、シートの周縁にワイヤーロープを取り付けることによっても実現できる。この場合には、ワイヤーロープを単管足場に取り付けることによって植物ユニットを単管足場に固定する。本発明は、単管足場へのワイヤーロープの取り付け手段を限定するものではないが、たとえば、図１５に示すように、ワイヤーロープのシートの四隅における部分をターンバックルなどの取り付け具を用いて単管足場に取り付けることができる。
【００５９】
また、シートには、図１６〜図１９に示すように、メッシュなどの風を透過する風透過部材を用いることができる。この風透過部材を含むシートを用いれば、植物ユニットにおける風圧による影響を軽減できる。
【００６０】
なお、上記したポケットや袋体やシートや枠状体には、情報を発信する情報発信体やスクリーンを取り付けることができる。本発明は、この情報発信体やスクリーンの材質や態様を限定するものではないが、この情報発信体やスクリーンとしては、たとえば、ポスターやチラシなどを用いた紙状情報発信体や、ラジオやスピーカなどを用いた音状情報発信体や、ＣＲＴディスプレイや液晶ディスプレイを用いた映像情報発信体などを用いることができる。また、たとえばスクリーンなどを用いた場合には、このスクリーンに、映写機や投影機やプロジェクターなどを用いて、映画やＣＭやテレビ番組やイベントの案内や博覧会の案内などを投影することができる。
したがって、本発明に係る植物ユニットによれば、緑化および植物による景観の演出を図ると同時に、様々な態様で情報を発信することができる。
なお、情報発信体やスクリーンが取り付けられる対象である「ポケットや袋体やシートや枠状体」には、ポケット自体や袋体自体やシート自体や枠状体自体のみならず、これらに取り付けられてこれらの一部となるロープや留具や取り付け具なども含まれる。
【００６１】
なお、本発明の実施の形態に係る植物ユニットは、シートを利用しているため、その製作が極めて容易である。したがって、本発明の実施の形態に係る植物ユニットは、メーカにとって、魅力的な商品である。
【００６２】
また、本発明の実施の形態に係る植物ユニットは、その施工および撤去が極めて容易であるため、長期利用のみならず、短期利用も可能である。したがって、本発明の実施の形態に係る植物ユニットは、卸売業や小売業を営む者だけでなく、レンタル業やリース業を営む者にとっても、魅力的な商品である。
【００６３】
また、本発明の実施の形態に係る植物ユニットは、その施工および撤去が極めて容易であるため、施工者を気軽かつ手軽にする。したがって、本発明の実施の形態に係る植物ユニットは、造園業者などの施工者にとっても、魅力的な商品である。
【００６４】
また、本発明の実施の形態に係る植物ユニットは、緑化や景観の演出を希望する様々な場所（たとえば、小学校の正門や空港の出入口や社長室の入り口やビルの特定の階のエレベータホールなど）を、様々な時期や時間帯（たとえば、春、梅雨期、夏、秋、冬、朝、昼、夜、午前、午後、○時〜△時など）において、緑化したり景観演出したりできる。したがって、本発明の実施の形態に係る植物ユニットは、緑化や景観の演出を希望する者にとって、魅力的な商品である。
【００６５】
また、本発明の実施の形態に係る植物ユニットによれば、緑化および植物による景観の演出を図ると同時に、様々な態様で情報を発信することができる。したがって、本発明の実施の形態に係る植物ユニットは、広告や宣伝や番組や案内などの情報の発信を、緑化や景観の演出と同時に行うことができるため、広告業者や宣伝業者や営業担当者などにとっても、魅力的な商品である。
【００６６】
なお、本発明の実施の形態に係る植物ユニットは、植物を保持し得る。したがって、本発明の実施の形態に係る植物ユニットによれば、いわゆるヒートアイランド現象の発生を抑制することができる。また、本発明の実施の形態に係る植物ユニットを、建物の壁面に取り付けたり、建物の壁面近傍に設置したりすれば、建物に入ってくる熱を防ぐことができる。したがって、本発明の実施の形態に係る植物パネルによれば、いわゆる熱負荷を低下させることができる。
【００６７】
なお、本発明の実施の形態に係る植物ユニットに流水部を設けてシート上に水を流したり、本発明の実施の形態に係る植物ユニットの枠状体内に流水部を設けて水を流したり、本発明の実施の形態に係る植物ユニットに水打掛装置を用いて又は手動で水を打ちかけたりすれば、上記ヒートアイランド現象の発生の抑制や熱負荷の低下を、より促進させることができる。
【産業上の利用可能性】
【００６８】
本発明は、緑化や景観の演出を行い得るあらゆる分野において利用できるが、その一部を挙げると、たとえば、製造業や卸売業や小売業やレンタル業やリース業や造園業や広告業や宣伝業や営業やテーマパークや娯楽業や博覧会やシンポジウムなどにおいて、利用することができる。
【図面の簡単な説明】
【００６９】
【図１】本発明の実施の形態に係る植物ユニットを設置した様子を示す図である。
【図２】実施例１に係る植物ユニットを示す図である。
【図３】実施例１に係る植物ユニットの一部を拡大した図であり、
【図４】実施例２に係る植物ユニットを示す図である。
【図５】実施例２に係る植物ユニットの一部を拡大した図であり、
【図６】実施例３に係る植物ユニットを示す図である。
【図７】実施例３に係る植物ユニットの一部を拡大した図であり、
【図８】実施例４に係る植物ユニットを示す図である。
【図９】実施例４に係る植物ユニットの一部を拡大した図であり、
【図１０】枠状体によるシート張りの別の例１を示す図である。
【図１１】枠状体によるシート張りの別の例２を示す図である。
【図１２】枠状体によるシート張りの別の例３（その１）を示す図である。
【図１３】枠状体によるシート張りの別の例３（その２）を示す図である。
【図１４】枠状体の別の例１を示す図である。
【図１５】枠状体の別の例２を示す図である。
【図１６】風透過部材を含むシートを示す図（その１）である。
【図１７】風透過部材を含むシートを示す図（その２）である。
【図１８】風透過部材を含むシートを示す図（その３）である。
【図１９】風透過部材を含むシートを示す図（その４）である。
【符号の説明】
【００７０】
１００    植物パネル
１０１    シート
１０２    枠状体
１０３    ロープ
１０４    袋体
１０５    袋体の上縁
１０６    ロープ
１０７    給水口
１０８    排水口
１０９    被固定部
２００    植物パネル
２０１    シート
２０２    枠状体
２０３    ロープ
２０４    ポケット
２０９    被固定部
２１１    開口開閉体
２１２    マジックテープ（登録商標）
２１３    切り込み
２１４    吊上具
２１５    開口
２１６    ポケット開閉体
３００    植物パネル
３０１    シート
３０２    枠状体
３０３    ロープ
３０４    帯状体
３０９    被固定部
３１７    スリット
４００    植物パネル
４０１    シート
４０２    枠状体
４０３    ロープ
４０４    ２つのシート部材の隙間
４０９    被固定部
４１５    開口
５００    単管足場
６００    留具
７００    留具
８００    ロープ
９００    押し具
１１００    補強部材
１２００    補強部材
１３００    補強部材
１４００    補強部材
【図１】
0003609401.tif 000002
【図２】
0003609401.tif 000003
【図３】
0003609401.tif 000004
【図４】
0003609401.tif 000005
【図５】
0003609401.tif 000006
【図６】
0003609401.tif 000007
【図７】
0003609401.tif 000008
【図８】
0003609401.tif 000009
【図９】
0003609401.tif 000010
【図１０】
0003609401.tif 000011
【図１１】
0003609401.tif 000012
【図１２】
0003609401.tif 000013
【図１３】
0003609401.tif 000014
【図１４】
0003609401.tif 000015
【図１５】
0003609401.tif 000016
【図１６】
0003609401.tif 000017
【図１７】
0003609401.tif 000018
【図１８】
0003609401.tif 000019
【図１９】
0003609401.tif 000020